(57)【要約】【課題】通信システム内でアドレス情報を送信および受信する改良された方法を提供する。【解決手段】ページング・スロット４０５の第１フレームは、各ページ４０１〜４０４のアドレスの部分を含む。同様に、スロット４０５の第２，第３および第４フレームは、ページング・アドレス各々の第２，第３および第４部分を含む。アドレス情報は、最初のフレーム内の情報が移動局に対して、移動局に宛てられるメッセージがスロット上に存在しないと判断することのできる高い確率を与えるようにスロット４０５の小フレーム内に編成される。第１フレームの受信後、移動局は周知の部分アドレス比較法を用いて、移動局が保留中のページを有するか否かを判断する。【選択図】  図４
2010166613.tif 000002
【特許請求の範囲】
【請求項１】
通信システム内で移動局にメッセージを送信するために利用されるスロットが割り当てられた移動局にアドレス情報を送信する方法であって、
前記スロット内でメッセージ通信を必要とする複数の前記移動局の部分集合を決定する段階と、
前記部分集合内の全移動局のアドレスを決定する段階と、
前記スロットの第１フレーム内に、前記部分集合内の各移動局に関する第１アドレス部分を送信する段階であって、移動局の前記第１アドレス部分は前記移動局のアドレス全体よりも小さな前記移動局のアドレスの一部分を含み、前記複数の移動局の前記第１アドレス部分の長さは等しく、前記第１アドレス部分の長さは所定の値に等しい、前記第１アドレス部分を決定する段階と
を備える方法。
【請求項２】
前記スロットの第２フレーム内に、前記部分集合内の各移動局に関する第２アドレス部分を送信する段階であって、移動局に関する前記第２アドレス部分は前記移動局のアドレス全体よりも小さな前記移動局のアドレスの一部分を含む、前記第２アドレス部分を送信する段階を更に含む、請求項１記載の方法。
【請求項３】
前記部分集合内の各移動局に関する前記第１アドレス部分を送信する段階が、前記移動局のアドレスの最下位部分を送信する段階を含む、請求項１記載の方法。
【請求項４】
前記アドレスを決定する段階が、国際移動局識別子（ＩＭＳＩ）アドレスを決定する段階を含む、請求項１記載の方法。
【請求項５】
通信システム内でアドレス情報を受信する方法であって、
スロットの第１フレーム内で受信される情報ビットから、複数の移動局の一意的な第１アドレス部分を決定する段階であって、個々の移動局に関する第１アドレス部分が前記移動局のアドレス全体よりも小さな前記移動局のアドレスの一部分を含み、前記複数の移動局の前記第１アドレス部分の長さは等しく、前記第１アドレス部分の長さは所定の値に等しい、前記第１アドレス部分を決定する段階と、
前記アドレス部分を、個々の移動局のアドレスの対応するビットと比較する段階と、
前記比較によって一致しない場合、前記個々の移動局の電源を落とす段階と
を備える方法。
【発明の詳細な説明】
【技術分野】
【０００１】
本発明は、一般に通信システムに関し、詳しくは通信システム内でアドレス情報を送信および受信するための方法に関する。
【背景技術】
【０００２】
従来の受信機の多くは、その受信機に送信されるべきメッセージ（ページ）が予定されているか否かを判断するために、定期的に「活動状態に入る」。予定されるメッセージがない場合は、受信機は電源をおとして受信機のバッテリ寿命を延ばす。このような電力節約機能を伴って現在開発されている通信システムの１つに、次世代符号分割多重接続（ＣＤＭＡ：Ｃｏｄｅ−Ｄｉｖｉｓｉｏｎ  Ｍｕｌｔｉｐｌｅ−Ａｃｃｅｓｓ）セルラ通信システムがあり、より一般的にはｃｄｍａ２０００またはワイドバンドＣＤＭＡと称される。図１に示すように、ｃｄｍａ２０００は複数の２０ミリ秒（ｍｓ）同期フレーム１０２（Ｆ０，  Ｆ１，  Ｆ２，．．．  ＦＫと示す）を利用する。フレーム１０２は、所定の継続時間（たとえば、１．２８＊２Ｎ秒；ただしＮは０または正の整数）を有する送信サイクルに相当する、周期的に発生する時間的スパンの間に送信される。ｃｄｍａ２０００システム内の移動局には４個のフレームのグループ（スロットと呼ぶ）が割り当てられ、特定の移動局に対するすべてのメッセージがその中で送信される。このようにして動作する移動局は、「スロット化モード」において動作すると言われる。スロット化モード動作により、ｃｄｍａ２０００移動局は、１．２８＊２Ｎ秒毎に１つの割り当てられたページング・スロットの間電源を入れることができる。
【０００３】
さらに電力を節約するために、あるスロットの間にメッセージを受信することになっている移動局に関するすべてのアドレスは、ページ・データをブロードキャストする前にブロードキャストされる。ある移動局のアドレスがブロードキャストされなければ、その移動局はスロットの残りの期間の間は電源を切ることができる。図２は、４つのフレームを有するスロット２００を図示する。図示されるように、スロット２００の第１部分２０１には、スロット２００内にページ・データを有するすべての移動局に関するアドレス情報が含まれる。スロット２００に割り当てられる特定の移動局は、スロット２００の送信時間の間、活動状態にある。移動局は、第１フレームを受信し、移動局のアドレスがスロット２００の第１部分２０１に含まれない場合は、移動局はスロット２００の残りの部分を受信する前に電源をおとす。
【０００４】
１つのスロットに割り当てられる多くの移動局がページングされる（呼び出される）場合には、アドレス情報を１つのフレームより大きな時間的期間内に入ることがある。このために、アドレス情報はスロットの第２フレーム内に含まれることがある。これを図３に示す。図３では、スロット３００の（アドレス情報を含む）第１部分３０１は、実際には２つのフレームに含まれる。あるスロットに含まれる情報は、挟み込まれる前に畳込コードなどのコードを用いて符号化されるので、移動局は、フレーム全体の内容をすべて同時に受信する必要がある。このため、アドレス情報が２つのフレームに含まれる場合、移動局は電源をおとす前に２つのフレームを受信および解読することが必要になる。このため、移動局は、第２フレームの一部分しかアドレス情報を含まない場合にも、第２フレームの全期間の間、給電状態にあることになる。かくして、通信システム内でアドレス情報を送信および受信する方法であって、移動局がアドレス情報をほとんど含まないフレームの受信および解読はする必要がない方法に対する必要性が存在する。
【図面の簡単な説明】
【０００５】
【図１】ｃｄｍａ２０００の従来技術による送信スキームの図である。
【図２】従来技術による送信スキームの図である。
【図３】従来技術による送信スキームの図である。
【図４】本発明の好適な実施例によるアドレス情報を有するスロットの図である。
【図５】部分アドレス比較の性能を示し、それを従来技術によるバッテリ節約法の性能と比較する。
【図６】本発明の第１実施例によるスロットの編成を示す。
【図７】本発明の第２実施例によるスロットの編成を示す。
【図８】被割当スロットのすべてのメッセージがスロットに入りきらない場合、バッテリ寿命を長くするために部分アドレス比較をどのように用いることができるかの例を示す。
【図９】本発明の好適な実施例によりバッテリ寿命を長くする方法を用いる移動局の流れ図である。
【図１０】本発明の好適な実施例によりバッテリ寿命を長くする方法を用いる移動局の流れ図である。
【図１１】本発明の好適な実施例により部分アドレス・ページングを利用する基地局の流れ図である。
【図１２】本発明の好適な実施例によるアドレス・ビットの配列を示す。
【図１３】本発明の好適な実施例による部分アドレス比較が、ページング・チャネルを復調する移動局のデューティ・サイクルをどのように短くするかの例を示す。
【発明を実施するための形態】
【０００６】
通信システム内でアドレス情報を送信および受信する必要性に対処するために、アドレス情報を送信および受信する方法が提供される。ページング・スロットの第１フレームは、各保留ページのアドレスの部分を含む。同様に、スロットの第２，第３および第４フレームは、各々の保留ページング・アドレスの第２，第３および第４部分を含む。アドレス情報は、一番初めのフレーム内の情報が移動局に対して、それに宛てられるメッセージがスロット内にないと判断することのできる高い確率を与えるように、スロットの小さなフレーム内に編成される。第１フレームから情報ビットを受信すると、移動局は周知の部分アドレス比較を用いて、移動局は保留中のページを有するか否かを判断する。移動局に宛てたページがスロット内にない場合は、（フレーム内のアドレス・ビットが無作為であると仮定して）移動局が第１フレーム後にＦ−ＣＣＣＨを復調することを停止することを許される確率は（１−１／２５６）４＝９８．４％である。
【０００７】
本発明は、スロットに割り当てられる移動局に対し通信システム内でアドレス情報を送信する方法を企図する。本発明の好適な実施例においては、スロットは、スロットに割り当てられる移動局にメッセージを送信するために利用される。本方法は、スロット内でメッセージ通信を必要とする移動局の部分集合を決定する段階と、部分集合内のすべての移動局のアドレスを決定する段階とによって構成される。部分集合内の各移動局の第１アドレス部分は、スロットの第１フレーム内に送信される。移動局に関するアドレス部分は、移動局のアドレス全体よりも小さい移動局のアドレスの部分によって構成される。
【０００８】
本発明は、通信システム内でアドレス情報を送信する方法をさらに企図する。本方法は、ページング・スロットに割り当てられる第１移動局の第１種類の第１アドレスを決定する段階と、ページング・スロットに割り当てられる第２移動局の第１種類の第２アドレスを決定する段階とによって構成される。第１種類の第１アドレスの部分と、第１種類の第２アドレスの部分が、スロットの第１フレーム内で、第１および第２移動局に対して送信される。
【０００９】
本発明は、通信システム内で、メッセージを送信するために利用されるスロットに割り当てられる移動局群に対し、アドレス情報を送信する方法をさらに企図する。本方法は、スロット内でページングを必要とする移動局群の部分集合を決定する段階と、部分集合内の移動局のアドレスを決定する段階と、部分集合内の移動局を同じ最下位アドレス・ビットを有する移動局の群に分化する段階とによって構成される。複数の被分化移動局は、メンバ数に従って分類され、部分集合内の各移動局の第１アドレス部分がスロットの第１フレーム内に送信される。本発明の好適な実施例においては、移動局の第１アドレス部分は、移動局のアドレス全体よりも小さい移動局のアドレスの部分によって構成され、最もメンバ数の少ない被分化移動局が、第１フレーム内により多くの数の部分アドレス・ビットを有することになる。
【００１０】
最後に、本発明は通信システム内でアドレス情報を受信する方法を企図する。本方法は、メッセージを受信すべきスロット時刻を決定する段階と、スロットの第１フレーム内で、複数の移動局に関する第１アドレス部分を受信する段階とによって構成される。本発明の好適な実施例においては、複数の移動局のうち個々の移動局に関する第１アドレス部分は、その移動局のアドレス全体よりも小さい移動局のアドレスの部分によって構成される。移動局は、部分アドレス比較法を利用して、移動局がスロット内に保留中のメッセージを有するか否かを判断する。
【００１１】
図面を参照して、図面内では同様の数字は同様の構成部品を指すが、図４は、本発明の好適な実施例によるアドレス情報を有するスロット４０５の図である。図４内では、４個の３２ビット・メッセージ（４０１〜４０４）が、４つの小さなフレームからなるスロット内に送付される。ｃｄｍａ２０００においては、メッセージは通常、順方向共通制御チャネル（Ｆ−ＣＣＣＨ：Ｆｏｒｗａｒｄ  Ｃｏｍｍｏｎ  Ｃｏｎｔｒｏｌ  Ｃｈａｎｎｅｌ）と呼ばれるページング・チャネル上に送付されるのが普通である。簡単にするために、図４においては、各メッセージの３２ビットすべてがアドレス・ビットであり、各フレームには３２ビットが含まれるものとする。ただし、当業者には認識頂けようが、メッセージ４０１〜４０４は、たとえば特殊サービス（ＳＰＥＣＩＡＬ＃ＳＥＲＶＩＣＥ），サービス・オプション（ＳＥＲＶＩＣＥ＃ＯＰＴＩＯＮ）フィールドなどの他の情報を含む場合もある。本発明の好適な実施例においては、メッセージに関するアドレス情報は、Ｆ−ＣＣＣＨの最初の部分に置かれ、その後に、その他のメッセージ関連情報が続く。
【００１２】
図示される如く、スロット４０５の第１フレームには、各ページ（たとえばメッセージ４０１〜４０４）のアドレスの部分が含まれる。図４においては、スロット４０５の第１フレームは、４つの各アドレスの第１部分（８ビット）を含む。同様に、スロット４０５の第２，第３および第４フレームは、４つのアドレスの各々の第２，第３および第４部分（各々が８ビットを含む）を含む。アドレス情報は、スロット４０５の小フレーム内に、最初のフレームの情報が、移動局がそれに対して宛てられるメッセージがスロット内にはないと判断することのできる高い確率を与えるように編成される。
【００１３】
第１フレームの受信後、移動局は周知の部分アドレス比較法を用いて、移動局が保留中のメッセージを有するか否かを判断する。これにより、移動局は、保留中のメッセージがあるか否かを判断するために、他のフレームを解読する必要がない確率が高くなる。部分アドレス比較は当技術では周知である。ページ・アドレスを受信するこのような方法は、本明細書に参考文献として含まれるＫａｍｐｅ他による米国特許第５，６６６，６５７号「ＳＥＬＥＣＴＩＶＥ  ＣＡＬＬ  ＲＥＣＥＩＶＥＲ  ＦＯＲ  ＡＰＰＬＹＩＮＧ  ＣＯＮＤＩＴＩＯＮＡＬ  ＰＡＲＴＩＡＬ  ＡＤＤＲＥＳＳ  ＣＯＲＲＥＬＡＴＩＯＮ  ＴＯ  Ａ  ＭＥＳＳＡＧＥ」に開示される。本発明の好適な実施例においては、移動局は４つの各メッセージの８ビットを、アドレスの対応する８ビットと、周知の方法で比較する。比較の結果、一致がない場合は、移動局には、スロット内に含まれる、それに宛てられるメッセージがないことが保証される。そのため、移動局はスロットの残りの部分について、Ｆ−ＣＣＣＨの復調を停止することができる。
【００１４】
スロット内に移動局に宛てたメッセージがない場合、移動局が第１フレーム後にＦ−ＣＣＣＨの復調を停止することが許される確率は（１−１／２５６）４＝９８．４％である。移動局が、一致を検出すると、第２フレームの間も活動状態にとどまらなければならない。移動局は、第２フレーム受信後に再び部分アドレス比較を実行することができる。移動局は、これまでに受信された４つの各メッセージの１６ビットを、そのアドレスの対応する１６ビットと比較する。一致がない場合は、移動局はＦ−ＣＣＣＨの復調を停止することができる。移動局に宛てたメッセージがスロット内にない場合は、（フレーム内のアドレス・ビットが無作為であるとして）移動局が第２フレーム後にＦ−ＣＣＣＨの復調を停止することが許される確率は（１−１／６５５３６）４＝９９．９９４％である。
【００１５】
部分アドレス比較の目的は電力を節約し、それにより移動局の電源の寿命を節約することである。移動局がＦ−ＣＣＣＨスロットのフレームを受信し、部分アドレス比較を実行し、アドレスの一致がないと判断すると、そうでない場合にＦ−ＣＣＣＨの監視を続行するために必要となる電力を節約する。移動局は、次のような多くの段階を経て電力を節約することができる：
１．無線受信機の電源をオフにする；
２．拡散解除を実行するハードウェアの電源をオフにする；
３．挟込解除を実行するハードウェアの電源をオフにする；
４．解読を実行するハードウェアの電源をオフにする；
５．拡散解除を実行するハードウェアの電源をオンにしない；
６．挟込解除を実行するハードウェアの電源をオンにしない；
７．解読を実行するハードウェアの電源をオンにしない；
８．挟込解除を実行するために用いられるソフトウェア命令を実行しない；
９．解読を実行するために用いられるソフトウェア命令を実行しない；
図５は、部分アドレス比較の性能を示し、それを規準９５−Ｂ「二重モード拡散スペクトル・システムのための移動局−基地局互換性規準（Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｓｐｒｅａｄ  Ｓｐｅｃｔｒｕｍ  Ｓｙｓｔｅｍｓ」（ＴＩＡ／ＥＩＡ−９５−Ｂ）に含まれるバッテリ節約法の性能と比較する。部分アドレス比較の性能は、ページングに用いられるアドレス・タイプの寸法には関係しないことに留意されたい。ＴＩＡ／ＥＩＡ−９５−Ｂに示されるｃｄｍａ２０００電力節約法の性能は、ページングに用いられるアドレス／タイプの寸法が大きくなるほど悪くなる。図５は、一次移動局識別（ＴＭＳＩ：Ｔｅｍｐｏｒａｒｙ  Ｍｏｂｉｌｅ  Ｓｔａｔｉｏｎ  Ｉｄｅｎｔｉｔｙ）と国際移動局識別子（ＩＭＳＩ：Ｉｎｔｅｒｎａｔｉｏｎａｌ  Ｍｏｂｉｌｅ  Ｓｔａｔｉｏｎ  Ｉｄｅｎｔｉｆｉｅｒ）の両方に関する性能を示す。
【００１６】
図６は、本発明の好適な実施例によるスロット６００の編成を示す。図示される如く、第１フレーム６０１は、第１フレーム６０１内に完全に含まれる第１メッセージ（クイック・ページ・メッセージ）を含む。同様に、第２フレーム６０２と第３フレーム６０３は、第２メッセージ（クイック・ページ継続メッセージ）を含む。第４フレーム６０４は、スロット化モードで動作する移動局に宛てられるメッセージを含む移動局宛てメッセージを含む。第１および第２クイック・ページ継続メッセージは、それぞれ第２フレーム６０２と第３フレーム６０３とに完全に含まれる。クイック・ページ・メッセージと、両方のクイック・ページ継続メッセージとは、長さフィールドとＣＲＣフィールドの両方を備える。ページング情報は、３つのメッセージ内に含まれる。クイック・ページ・メッセージは、第１フレーム６０１に正確に入るようにできるだけ多くの情報を含む。第２フレーム６０２のクイック・ページ継続メッセージにも同じことが当てはまる。各メッセージはフレーム内に完全に収まるので、移動局には各フレームの受信後に新たなメッセージを解読する機会がある。たとえば、移動局は、スロット６００の第１フレーム６０１を受信する時間の間活動状態にあり、第１フレーム６０１を受信し、第１フレーム６０１の挟込解除と解読を行い、クイック・ページ・メッセージを処理する。クイック・ページ・メッセージを処理すると、移動局は、それに宛てられるページがスロット内にない（すなわち、その移動局に関して、部分アドレスが一致しない）と判断できる場合にはスロット６００の残りの部分の復調を中止することができる。クイック・ページ・メッセージの処理後に、移動局がこのような判断を行うことができない場合は、第２フレームを受信して、クイック・ページ継続メッセージを処理する。クイック・ページ継続メッセージを処理すると、移動局は、それに宛てられるページがスロット６００内にないと判断できる場合には、スロットの残りの部分の間は運転休止することができる。第３フレーム６０３の処理も同様である。
【００１７】
クイック・ページ・メッセージおよびクイック・ページ継続メッセージの後にスロット内に含まれるスロット化モード移動局に関する移動局宛てメッセージについては、そのメッセージが宛てられる移動局のアドレスまたはアドレスの一部が、上記のようにフォーマットされるクイック・ページ・メッセージ／クイック・ページ継続メッセージに含まれる。これを行うには２つの方法を用いることができる。第１の方法は、クイック・ページ・メッセージ／クイック・ページ継続メッセージ内に移動局の１６のアドレス・ビットしか入れない；完全なアドレスは、移動局宛てメッセージ内にその後で入れられる。クイック・ページ・メッセージ／クイック・ページ継続メッセージに移動局のアドレスの１６ビット部分を入れることにより、移動局は、その後スロット内で（あるいは次のスロット内で）メッセージを受信するために活動状態にとどまることを強いられる。第２の方法は、クイック・ページ・メッセージ／クイック・ページ継続メッセージに移動局の全アドレスを入れる。全アドレスがあることで、移動局は活動状態にとどまることを強いられる。移動局宛てメッセージは、次に、移動局のアドレスがあるクイック・ページ・メッセージ／クイック・ページ継続メッセージ内のスロットおよび位置を参照する圧縮アドレス・タイプによりアドレス指定される。移動局は、それに宛てられるページの位置を記憶するので、圧縮アドレス・タイプはメッセージを移動局のアドレスと結びつける。
【００１８】
図７は、本発明の第２実施例によるスロット７００の編成を示す。この実施例では、第１フレーム７０１がクイック・ページ・メッセージを含む。クイック・ページ・メッセージは、第１フレーム７０１内に完全に含まれる。クイック・ページ継続メッセージは、第２および第３フレーム７０２〜７０３に含まれる。第４フレーム７０４は、スロット化モードで動作する移動局にアドレス指定されるメッセージを含む移動局宛てメッセージを含む。１つの長さフィールドと１つのＣＲＣフィールドとがなくなるので、前記の図面よりもビットが節約される。しかし、移動局は、スロット７００の残りの部分の間休止できるか否かを判断するための第２の機会を得る前に、第３フレームのために活動状態のままでいなければならない。しかし、第１フレーム後に休止する移動局の集団のパーセンテージは、きわめて高いことが多いので、第２回目の休止の機会を第３フレーム７０３の終点まで移動させる効果は無視することができる。インフラストラクチャは、第１フレーム受信後に休止する移動局の集団のパーセンテージに基づいて、図６および図７に示される編成の間で選択することもできる。集団のパーセンテージが高い場合は図７が好適であり、集団のパーセンテージが低い場合は図６が好適である。
【００１９】
フレーム編成に関わらず、スロットの第１フレーム内のメッセージ・アドレス情報に利用できるビット数が、スロット内の全メッセージがスロットの第１フレームに適合するほど充分に大きければ、すべてのメッセージ・アドレスは第１フレームに収まる。スロットの第１フレーム内のメッセージ・アドレス情報に利用できるビット数が、スロット内の全メッセージのすべてのアドレス・ビットに対応するには充分な大きさでない場合は、第１フレーム内の利用可能なビットがすべてのメッセージ間でほぼ均等に分割される。たとえば、１４個のメッセージに関して１１２ビットが利用可能であれば、第１フレームの各メッセージには８個のアドレス・ビットが割り振られる（この場合、利用可能なビット数は、メッセージ数で等しく分割することができる）。１５個のメッセージについて１１２ビットが利用可能な場合は、第１フレームの８個のメッセージの各々に７個のアドレス・ビットが割り振られ、第１フレーム内の７個の他のメッセージの各々に８ビットが割り振られる（この場合、利用可能なビット数はメッセージ数で等しく分割することができない）。メッセージ・アドレス情報に利用可能なビット数がメッセージ数で等しく分割することができない場合は、あるメッセージに割り当てられるビット数が他のメッセージに割り当てられるビット数と１ビット超異なることは決してない。移動局が第１ページング・チャネル・フレームを受信すると、フレーム内に存在する各アドレスの部分を自身のアドレスの対応する部分と比較する。どの部分についても一致点がない場合、移動局はスロットの残りの部分の間は休止することが許される。いずれかの部分に関して一致点がある場合は、移動局は、スロットの（少なくとも）次のフレームの間は活動状態のままでいなければならない。
【００２０】
スロット内の全メッセージ間で均等に、あるいはほぼ均等にビットを分割することで、部分アドレス一致がなくなる確率が高くなり、移動局は休止状態に入ることができる。第１の例（１４個のメッセージについて１１２ビットが利用可能）では、（無作為のアドレス・ビットを想定して）移動局が単独の８ビット部分アドレスに一致しない確率は（１−１／２８）＝９９．６％となる。（無作為のアドレスビットを想定して）移動局がどのアドレスとも一致しない確率は（１−１／２８）１４＝９４．６７％となる。１４個のメッセージの各々に８ビットを割り振る代わりに、１つのメッセージに７ビットを、１２のメッセージの各々に８ビットを、１つのメッセージに９ビットを割り振るとする。（無作為のアドレス・ビットを想定して）移動局がどのアドレス・ビットとも一致しない確率は（１−１／２７）（１−１／２８）１２（１−１／２９）＝９４．４８％となる。メッセージ間で不均等にビットを分割すると、部分アドレス一致がなくなる確率が小さくなる（それにより、移動局が余分なフレームの間活動状態のままでいなければならない確率が高くなる）。第２の例（１５個のメッセージについて１１２ビットが利用可能）では、７個のアドレス・ビットが８個のメッセージの各々に割り当てられ、８個のアドレス・ビットが他の７個のメッセージの各々に割り当てられる。（無作為のアドレス・ビットを想定して）移動局がどのアドレスとも一致しない確率は（１−１／２７）８（１−１／２８）７＝９１．３８％となる。代わりに、９個のアドレス・ビットを１つのメッセージに、７個のアドレス・ビットを９個のメッセージの各々に、８個のアドレス・ビットを他の５個のメッセージの各々に割り振るとする。（無作為のアドレス・ビットを想定して）移動局がどのアドレスとも一致しない確率は（１−１／２９）（１−１／２７）９（１−１／２８）５＝９１．２０％となる。この場合も、メッセージ間でビットを不均等に分割すると、部分アドレス一致のなくなる確率が小さくなる（また、それにより、移動局が余分なフレームの間活動状態のままでいなければならない確率が高くなる）。
【００２１】
部分アドレス比較の有効性を最大限に生かすためには、第１フレームにあるアドレス・ビットをできるだけ無作為にして、不一致の確率が高くなるようにしなければならない。たとえば、ＴＩＡ／ＥＩＡ−９５−Ｂにおいては、４ビットのページ・レコード・フォーマットが各ページに含まれる。ページ・レコード・フォーマットは、移動局のアドレスの一部と見なすことができる。しかし、ページング・スロットに含まれるページ・レコード・フォーマットは、きわめて無作為にはなりにくい。たとえば、ＴＭＳＩを利用するシステムにおいて、１つのスロット内のすべてのメッセージがフォーマット’１００１’（２４ビットＴＭＳＩ）を利用し、すべての移動局がこのタイプのアドレスに一致することが起こりやすい。このため、ページ・レコード・フォーマットをスロットの第１フレーム内の部分アドレスの一部として入れると、すべての移動局がアドレスのこの部分で一致するので、移動局を休止状態にすることができるようにする情報が提供できないことになる。アドレス・ビット数が最も小さいページ・レコード・フォーマットは、１６個のアドレス・ビットを有し、１６ビット部分アドレス比較により、不一致の確率が高くなるのでページ・レコード・フォーマットは、ページ・レコード・フォーマットと共に含まれるアドレスの最下位ビットを入れた後でページング・チャネル・スロットに入れることが理想的である。ページ・レコード・フォーマット・フィールドの後に、入れなければならない残りのアドレス・ビットを入れる。アドレス・ビット数の可変するページ・レコード・フォーマットに関して、可変部の長さを指定するフィールドが入れられ、次に可変部が入れられる。たとえば、ページ・レコード・フォーマット’１０１１’については、ＴＭＳＩ＃ＣＯＤＥ＃ＡＤＤＲの最下位１６ビットが最初に来て、次に’１０１１’が、そしてＴＭＳＩ＃ＣＯＤＥ＃ＡＤＤＲの最上位１６ビットが、ＴＭＳＩ＃ＺＯＮＥ＃ＬＥＮが、ＴＭＳＩ＃ＺＯＮＥが続く。
【００２２】
個別に宛てられるｃｄｍａ２０００メッセージについては、移動局により一致しなければならないアドレスが２種類ある。すなわちＩＭＳＩ（第１）とＴＭＳＩ（第２）である。ＴＩＡ／ＥＩＡ−９５−Ｂにより、移動局は、第２アドレスを割り当てられていても、第１アドレスでページングされた場合は応答しなければならない。ページ・レコード・フォーマットはアドレスの１６の最下位ビットの後に入れられるので、このために移動局が部分アドレスの各々をそのＩＭＳＩの部分とＴＭＳＩの部分の両方と比較する必要が起こることがある（また、これにより一致の確率が２倍になる）。移動局が部分アドレスの各々をＩＭＳＩとＴＭＳＩの両方と比較する必要を回避するために、移動局には、どのアドレスがＩＭＳＩでどれがＴＭＳＩであるかが通知される。第１フレームにおいて、スロットに含まれる第１および第２アドレスの数は、４ビットのＮＵＭ＃ＳＬ＃ＩＭＳＩフィールドと５ビットのＮＵＭ＃ＳＬ＃ＴＭＳＩフィールドとによりそれぞれ識別される。また、スロットに含まれるＩＭＳＩまたはＴＭＳＩに宛てられるスロット化モード・メッセージがあるか否かを指定する１ビットのＳＬ＃ＩＭＳＩ＃ＩＮＣＬＵＤＥＤフィールドとＳＬ＃ＴＭＳＩ＃ＩＮＣＬＵＤＥＤフィールドが置かれる。スロット内にスロット化モード移動局に宛てられるＩＭＳＩがない場合は、ＮＵＭ＃ＳＬ＃ＩＭＳＩフィールドは省略される。同様に、スロット内にスロット化モード移動局に宛てられるＴＭＳＩがない場合は、ＮＵＭ＃ＳＬ＃ＴＭＳＩフィールドが省略される。
【００２３】
送信装置は、スロット内のＩＭＳＩおよびＴＭＳＩに所定の方法で命令して、移動局がどの部分アドレスがＩＭＳＩ部で、どの部分アドレスがＴＭＳＩ部であるのかを、ＩＭＳＩとＴＭＳＩの数に基づいてわかるようにする。移動局にＴＭＳＩが割り当てられていないときに部分アドレス比較を実行すると、ＩＭＳＩ部に既知のスロット内の部分アドレスのみでＩＭＳＩとの部分アドレス比較を行い、部分ＴＭＳＩは無視されることになる。移動局にＴＭＳＩが割り当てられていないときに部分アドレス比較を実行すると、そのＩＭＳＩ部を、ＩＭＳＩ部に既知のスロット内の部分アドレスのみと比較し、ＴＭＳＩ部をＴＭＳＩ部に既知のスロット内の部分アドレスとのみ比較することにより部分アドレス比較を実行することになる。タイプＴＭＳＩのスロット化メッセージが３つ以上あり、タイプＩＭＳＩのスロット化メッセージが２つ以上あると、あるいはＩＭＳＩとＴＭＳＩの混合したメッセージが７つ以上あると、この方法により、メッセージ毎に１ビットが第１フレームに入れられてＴＭＳＩからＩＭＳＩを区別する場合よりも休止する確率が高くなる（ただし、これは、メッセージ毎に１ビットがＩＭＳＩまたはＴＭＳＩの指定に専用に用いられて、メッセージ数を表す５ビットのフィールドが、ＳＬ＃ＩＭＳＩ＃ＩＮＣＬＵＤＥＤ，ＳＬ＃ＴＭＳＩ＃ＩＮＣＬＵＤＥＤ，ＮＵＭ＃ＳＬ＃ＩＭＳＩ，ＮＵＭ＃ＳＬ＃ＴＭＳＩフィールドの代わりに用いられることを前提とする）。休止の確率が高くなる理由は、スロット内の早い位置に、部分アドレスに利用可能なビットが多くあるからである。
【００２４】
スロット内の最も早い位置にある部分アドレス・ビットの無作為性を最大にする（また部分アドレス不一致の確率を最大にする）には、最下位の１６個のアドレス・ビットを各メッセージについてスロット内で最初に用いる。このとき、スロット内の各アドレスの最下位ビットから初めて、下位ビットから上位へと次の次に最上位の１５ビットを用いる。一般に、ＩＭＳＩアドレスなどのアドレスの最下位ビットは、上位のビットよりも無作為性が高い。最下位の１６ビットが各メッセージに関して入れられた後で、各メッセージの残りのビットをすべて一度に入れて、最下位１６ビットとしては挟み込まない。最下位１６ビットとして挟み込まずに残りのビットをこのように入れる理由は、移動局のメッセージ分割を簡略にし、基地局のためのメッセージ作成を簡略にするためである。また、最下位１６ビットと同様に残りのビットを挟み込んで、部分アドレス不一致の確率をさらに高めることも可能であるが、フレーム毎の予想されるビット数と、ｃｄｍａ２０００についてスロット毎に予想されるメッセージ数に基づき、部分アドレス不一致の確率の増大は無視できる。ｃｄｍａ２０００については、分割を簡略にすることで、最下位１６ビットの後にアドレス・ビットを挟み込まないようにする価値がある。
【００２５】
ｃｄｍａ２０００について、メッセージ構造には予約アドレス・タイプが含まれる（フィールドＮＵＭ＃ＳＬ＃ＲＥＳＥＲＶＥＤ＃Ｔ，ＲＥＳＥＲＶＥＤ＃ＡＤＤＲ＃ｘなどを用いる）。将来的には、データ・アプリケーション用の移動局をページングするために用いることのできる第３アドレス（インターネット・プロトコル（ＩＰ）などの）を加えることが望ましくなると予想される。データ可能な移動局は、必然的にＩＭＳＩを割り当てられる必要がある。ＴＭＳＩを割り当てられる可能性もある。将来のｃｄｍａ２０００標準においては、予約フィールドをＩＰアドレスで移動局をページングするために用いられるよう再定義することもできる。フィールドが確保されており、第１版の標準に基づき移動局がメッセージを変換することができるので、ＩＰアドレスは以前のものとの互換性の問題を起こさずに導入することができるだろう。ＩＰアドレスを割り当てられた移動局は、ＩＭＳＩアドレスを割り当てられた移動局が部分アドレス比較を実行するのとほとんど同じように部分アドレス比較を実行することができよう。さらに、ＩＭＳＩアドレスとＩＰアドレスの両方を備える移動局ができる可能性もある。このような移動局は、ＩＭＳＩアドレス・ビットとそのＩＭＳＩアドレスの部分との部分アドレス比較と、ＩＰアドレス・ビットとそのＩＰアドレス部分との部分アドレス比較と、またＴＭＳＩが割り当てられる場合はＴＭＳＩアドレスビットとそのＴＭＳＩ部分との部分アドレス比較を実行することになろう。
【００２６】
ブロードキャスト・メッセージをＦ−ＣＣＣＨ上に送付しなければならない場合、メッセージ構造には、個々の移動局に宛てられるメッセージの部分アドレスの前に、ページング・チャネル・スロットの一番最初にあるアドレスのブロードキャストが含まれる。通常、ブロードキャスト・メッセージは送付されないが、送付される場合は、スロット内の一番初期の完全なブロードキャスト・アドレスを入れることで、移動局ができるだけ早く休止状態になる確率が最大になる。ブロードキャスト・メッセージのビットにはあまり無作為性がないので、部分アドレスよりも、スロット内の先に来るアドレス全体を入れるほうが好ましい。このため、本発明の好適な実施例においては、ブロードキャスト・メッセージが予定される場合、どの移動局アドレスよりも先にブロードキャスト・アドレス全体が入れられる。第１フレームにブロードキャスト・アドレスの一部分だけを入れると、活動状態になってブロードキャスト・アドレスを検索する移動局は、第２フレームの間活動状態にとどまって、部分アドレスの不一致を判断しなければならないことが多くなる。これは、ブロードキャスト・アドレスのビットにあまり無作為性がないためである。
【００２７】
ＴＩＡ／ＥＩＡ−９５−Ｂにより、ページング・チャネル・スロットの待行列に入れられるすべてのメッセージがスロットに入りきらない場合、メッセージの一部を次のスロットに持ち越すことができる。この場合は、そのスロットに割り当てられるすべての移動局は、そのスロットと少なくとも次のスロットの一部の両方を受信しなければならない。その結果、ページング・チャネルの負荷が高い期間の間は、移動局がスロットの間に活動状態にとどまる場合、１６０ｍｓもの間活動状態にとどまることを強いられることがある。メッセージが次のスロットに持ち越される場合は、部分アドレス比較を利用して、移動局をより長い間休止させておくことができる。クイック・ページ・メッセージのヘッダＲＥＡＤ＃ＮＥＸＴ＃ＳＬＯＴ（次ビット読込）ビットが置かれる。インフラストラクチャは、移動局に対してメッセージが次のスロットに持ち越されることを知らせるよう、このビットを設定する。移動局がそのスロットの間活動状態にあり、第１フレームを受信し、ＲＥＡＤ＃ＮＥＸＴ＃ＳＬＯＴビットが設定されたことを判断し、部分アドレス比較を用いてそのスロット内にその移動局に宛てられるメッセージがないと判断すると、そのスロットの残りの部分の間は休止状態になり、次のスロットの初めで活動状態に入る。
【００２８】
図８は、被割当スロットのすべてのメッセージがスロットに入りきらないときに、バッテリ寿命を長くするためにどのように部分アドレス比較を用いることができるかを示す例である。第１スロット８０１に関して、インフラストラクチャはスロットに入るよりも多くのメッセージを待行列に入れている。インフラストラクチャは、できるだけ多くのメッセージを第１スロット８０１に入れ、第１スロットの第１フレームのクイック・ページ・メッセージにＲＥＡＤ＃ＮＥＸＴ＃ＳＬＯＴビットを設定する。図示される次のスロット（第２スロット８０２）に、インフラストラクチャは第１スロット８０１に入りきらなかったメッセージを入れる。例として、スロット８０１に割り当てられる移動局は、適時に復調を開始して、スロット８０１（移動局の被割当スロット）の第１フレームを受信する。移動局は、クイック・ページ・メッセージを解読し、クイック・ページ・メッセージに含まれる部分アドレスを用いて部分アドレス比較を実行する。移動局は一致がないと判断し、被割当スロットの第１フレーム後にＦ−ＣＣＣＨの復調を停止する。その被割当スロットからのクイック・ページ・メッセージのＲＥＡＤ＃ＮＥＸＴ＃ＳＬＯＴビットは’１’に設定されているので、移動局は適時に復調を開始して、次スロット（スロット８０２）の第１フレームを受信する。移動局は、クイック・ページ・メッセージを解読し、クイック・ページ・メッセージに含まれる部分アドレスを用いて部分アドレス比較を実行する。移動局は一致がないと判断し、再び、Ｆ−ＣＣＣＨの復調を停止する。その後、移動局は次の被割当スロットまで再びＦ−ＣＣＣＨを復調することはない。
【００２９】
図９は、本発明の好適な実施例によりバッテリ寿命を延ばすための方法を用いる移動局の流れ図である。図９の流れ図は、移動局が一時停止バーチャル・トラフィック副状態（Ｓｕｓｐｅｎｄｅｄ  Ｖｉｒｔｕａｌ  Ｔｒａｆｆｉｃ  Ｓｕｂｓｔａｔｅ）にある場合を除くスロット化モードにあるか、あるいは優先アクセスおよびチャネル割当（ＰＡＣＡ：Ｐｒｉｏｒｉｔｙ  Ａｃｃｅｓｓ  ａｎｄ  Ｃｈａｎｎｅｌ  Ａｓｓｉｇｎｍｅｎｔ）呼出が待行列に入れられる場合に用いられる。論理の流れは段階９０１で始まり、段階９０３に進んで、移動局は次の被割当スロットを待つ。移動局は、次の被割当スロットを待つ間は電力を節約する（休止状態にある）。その被割当スロットを受信すべき時刻になると、移動局は活動状態に入る。次に論理の流れは段階９０９に進み、スロットの第１フレームの情報ビットが受信される。論理の流れは段階９１１に進み、クイック・ページ・メッセージが解読されて、スロット内のすべてのメッセージに関するアドレス情報が判断される。段階９１３において、移動局は、それまでスロット内に入れられた各ＩＭＳＩアドレスの部分を、ＩＭＳＩの対応ビットと比較し、一致するか否かを判定する。論理の流れは、次に段階９１５に進み、移動局は、ＴＭＳＩが割り当てられたか否かを判断する。移動局が、ＴＭＳＩを割り当てられていないと判断すると、論理の流れは段階９１９に進む。そうでない場合は、論理の流れは段階９１７に進む。段階９１７において、移動局はそれまでスロットに入れられた各ＴＭＳＩアドレスの部分をＴＭＳＩの対応ビットと比較し、一致があるか否かを判断する。次に論理の流れは段階９１９に進み、移動局は、一致があるか否かを判断する（段階９１３，９１７で判断されたように）。アドレス一致がなかった場合は、論理の流れは段階９２１に進む。そうでない場合は、論理の流れは段階９２３に進み、移動局は少なくとも１つの後続フレームの情報ビットを受信し、クイック・ページ継続メッセージを解読して、スロット内のメッセージに関するより多くのアドレス情報があるか判断する。論理の流れは段階９１３に進む。
【００３０】
段階９２１において、移動局は現在のスロットのＲＥＡＤ＃ＮＥＸＴ＃ＳＬＯＴビットが’１’に設定されているか、現在のスロットが移動局の被割当スロットであるか否かの両方を判断する。段階９２１の結果がノーの場合は、論理の流れは段階９０３に戻る。段階９２１の結果がイエスの場合は、論理の流れは段階９２５に進み、移動局は電力節約を開始する（休止状態に入る）。段階９２５の後で、論理の流れは段階９２７に進み、移動局は次スロットの開始を待ち、次スロットのために活動状態に入る。論理の流れは段階９０９に戻る。
【００３１】
図１０は、本発明の好適な実施例によりバッテリ寿命を延ばす方法を用いる移動局の流れ図を示す。このプロセスは、移動局が一時停止バーチャル・トラフィック副状態にある場合のスロット化モードにあるか、あるいはＰＡＣＡ呼出が待行列に入れられる場合に用いられる。移動局は、各スロットの少なくとも１つのフレームを監視する。論理の流れは段階１００１で始まり、段階１００３に進んで移動局は次スロットの開始を待つ。段階１００５において、移動局はスロットの第１フレームの情報ビットを受信する。上述のように、第１スロットの第１部分は、図４に関して説明されたのと同様のアドレス情報を含む。論理の流れは、段階１００７に進み、クイック・ページ・メッセージが解読されてスロット内の全メッセージに関するアドレス情報が判断される。段階１００９において、移動局はそれまでスロットに入れられた各ＩＭＳＩアドレスの部分を、そのＩＭＳＩの対応ビットと比較して一致があるか否かを判断する。論理の流れは段階１０１１に進み、移動局はＴＭＳＩを割り当てられたか否かを判断する。移動局がＴＭＳＩを割り当てられていないと判断すると、論理の流れは段階１０１５に進む。そうでない場合は、論理の流れは段階１０１３に進む。段階１０１３において、移動局はそれまでスロットに入れられた各ＴＭＳＩアドレスの部分を、そのＴＭＳＩの対応ビットと比較して、一致があるか否かを判断する。次に論理の流れは段階１０１５に進み、移動局は、一致があるか否かを判断する（段階１００９，１０１３で判断されたのと同様に）。アドレス一致がない場合は、論理の流れは段階１０１６に進み、そうでない場合は論理の流れは段階１０１７に進んで、移動局は少なくとも１つの後続フレームの情報ビットを受信し、クイック・ページ継続メッセージを解読して、スロット内にメッセージに関するより多くのアドレス情報があるか判断する。論理の流れは段階１００９に戻る。段階１０１６において、移動局は電力節約を開始する（休止状態に入る）。段階１０１６の後で、論理の流れは段階１００３に戻る。
【００３２】
図１１は、本発明の好適な実施例により部分アドレス・ページングを利用するインフラストラクチャの流れ図である。論理の流れは、段階１０１１で始まり、インフラストラクチャは待行列に入れられたすべてのメッセージが次スロットに入るか否かを判断する。段階１１０１においてインフラストラクチャが待行列に入れられたすべてのメッセージが現在のスロットには入りきらないと判断すると、論理の流れは段階１１０２に進む。段階１１０１においてインフラストラクチャが待行列に入れられたすべてのメッセージが現在のスロットに入ると判断すると、論理の流れは段階１１０３に進む。段階１１０２において、現スロットに入らない優先順位の最も低いメッセージが、優先順位の最も高いメッセージとして（すなわち最初に待行列から出されるように）次スロットの待行列に入れられる。論理の流れは次に段階１１０４に進み、現スロットで送付されるクイック・ページ・メッセージのＲＥＡＤ＃ＮＥＸＴ＃ＳＬＯＴビットが’１’に設定される。段階１１０４の後で、論理の流れは段階１１０５に進む。段階１１０３において、現スロットで送付されるクイック・ページ・メッセージのＲＥＡＤ＃ＮＥＸＴ＃ＳＬＯＴビットが’０’に設定される。論理の流れは段階１１０５に進み、インフラストラクチャは現スロットのメッセージを待行列から外す。段階１１０６において、インフラストラクチャは現スロットの第１フレームに関してクイック・ページ・メッセージを構築する。これにはＲＥＡＤ＃ＮＥＸＴ＃ＳＬＯＴビット，ＩＭＳＩアドレスの数，ＴＭＳＩアドレスの数および第１フレームに入るだけのすべてのメッセージの最下位アドレス・ビットが含まれ、利用可能なビットをメッセージ間でほぼ均等に分割する。基地局は、スロットの第１フレーム内にできるだけ多くの最下位アドレス・ビットを含むクイック・ページ・メッセージを構築し、メッセージ間で利用可能なビットをほぼ均等に分割する。好ましくは、基地局のページ配列手順は、各ページが第１フレーム内に同数のビットが割り振られない場合は、第１フレーム後に休止状態に入ることのできる移動局集団のパーセンテージを最大にするよう実行される。段階１１０７において、インフラストラクチャは次フレームのクイック・ページ・メッセージを構築し、これにはスロットの全メッセージに関して次に上位のアドレス部分が含まれる。論理の流れは段階１１０８に進み、インフラストラクチャはスロットのフレームを送信して、次スロットの処理を開始する。論理の流れは段階１１０１に戻る。ページングされている各移動局に割り振られる第１フレーム内に等しい数の部分アドレス・ビットがある場合は、第１フレーム内のメッセージの順序は休止状態に入ることを許される移動局集団のパーセンテージに影響を与えない。しかし、ページングされている移動局に対し、第１フレーム内に他の移動局とは異なる数の部分アドレスが割り振られると、第１フレーム内のメッセージの順序が重要になる。たとえば、ページングされている移動局が１２個あり、すべてがＴＭＳＩアドレスを持ち、第１フレームに３０個の部分アドレスが割り振られるとする。第１フレームにおいては、移動局のうち６個に関して３つの部分アドレス・ビットが利用可能である。第１フレームにおいては、他の６個の移動局のために２つの部分アドレス・ビットが利用可能である。図１２の左側の欄は無作為な順序でページングされている１２の移動局の最下位の３ビットを示す。１から６の番号を振られたメッセージはそれぞれ３つの部分アドレス・ビットを有する。７から１２の番号を振られたメッセージはそれぞれ２つの部分アドレス・ビットを有する。ＴＭＳＩが割り当てられた移動局の１００％は、ＴＭＳＩの最下位２ビットとして’００’，’０１’，’１０’または’１１’を有する。最下位２ビットとして’００’を有する移動局は、メッセージ７，１１，１２と部分アドレスが一致するので、第２フレームの間は活動状態にとどまることを強制される。最下位２ビットとして’０１’を有する移動局は、メッセージ９と部分アドレスが一致するので、第２フレームの間は活動状態にとどまることを強制される。最下位２ビットとして’１０’を有する移動局は、メッセージ８と部分アドレスが一致するので、第２フレームの間は活動状態にとどまることを強制される。最下位２ビットとして’１１’を有する移動局は、メッセージ１０と部分アドレスが一致するので、第２フレームの間は活動状態にとどまることを強制される。このため、この例においては、ＴＭＳＩを割り当てられる移動局集団のうち１００％の部分アドレスが一致して、第２フレームの間活動状態にとどまらなければならないので、（第１フレーム後の）部分アドレス比較を行っても利点がない。本発明の好適な実施例においては、スロット内のアドレス・ビットの順序をＴＭＳＩを割り当てられた移動局の一部が第１フレーム後に休止状態に入ることができるような順序に並べ替える。メッセージは、各集合が同じ最下位２ビットを有するメッセージで構成されるメッセージの集合に分化される。次にこの集合をメンバ数により分類する。メンバ数の少ない集合を先に入れて、その後でメンバ数のより多い集合を続ける。これらの集合のうちメンバ数が同じ集合がある場合は、最下位３ビットがすべて等しいメンバを含む集合を先に配列する。
【００３３】
図１２の中央の欄は、第１欄のメッセージを再配列した後の順序を示す。第１集合は最下位ビットが’１１’の１つのメッセージ（メッセージ１０）で構成される。第２集合は最下位２ビットが’１０’（また最下位３ビットが’１１０’）の３つのメッセージ（３，４，８）で構成される。第３集合は、最下位２ビットが’０１’の３つのメッセージ（５，６，９）で構成される。第４集合は最下位２ビットが’００’の５つのメッセージ（１，２，７，１１，１２）で構成される。最初に配列されるメッセージには図１２の右側の欄に示すようにより大きな数の部分アドレス・ビットが割り振られる。メッセージ１０，３，４，８，５，６には、すべて第１フレーム内で３個の部分アドレス・ビットが割り振られる。メッセージ９，１，２，７，１１，１２には、第１フレーム内に２つの部分アドレス・ビットが割り振られる。ＴＭＳＩを割り当てられた移動局の１００％はそのＴＭＳＩの最下位３ビットとして’０００’，’００１’，’０１０’，’０１１’，’１００’，’１０１’，’１１０’または’１１１’のいずれかを有する。無作為にＴＭＳＩが割り当てられた移動局の大きな集団を想定すると、１２．５％がそのＴＭＳＩの最下位３ビットとして’０００’を、１２．５％が’００１’を、１２．５％が’０１０’を、１２．５％が’０１１’を、１２．５％が’１００’を、１２．５％が’１０１’を、１２．５％が’１１０’を、１２．５％が’１１１’を有する。図１２の右欄に示す配列により、そのＴＭＳＩの最下位３ビットに’０００’または’１００’のいずれかを有する、ＴＭＳＩを割り当てられた移動局の２５％は、メッセージ１，２，７，１１，１２との部分アドレス一致のために、第２フレームの間は活動状態にとどまることを求められる。図１２の右欄に示す配列により、そのＴＭＳＩの最下位３ビットに’００１’または’１０１’のいずれかを有する、ＴＭＳＩを割り当てられた移動局の２５％は、メッセージ９との部分アドレス一致のために、第２フレームの間は活動状態にとどまることを求められる。図１２の右欄に示す配列により、そのＴＭＳＩの最下位３ビットに’１１０’を有する、ＴＭＳＩを割り当てられた移動局の１２．５％は、メッセージ３，４，８との部分アドレス一致のために、第２フレームの間は活動状態にとどまることを求められる。図１２の右欄に示す配列により、そのＴＭＳＩの最下位３ビットに’０１１’を有する、ＴＭＳＩを割り当てられた移動局の１２．５％は、メッセージ１０との部分アドレス一致のために、第２フレームの間は活動状態にとどまることを求められる。図１２の右欄に示す配列により、ＴＭＳＩを割り当てられた移動局の２５％は、第１フレーム後に部分アドレス一致がなく、第１フレーム後に休止状態に入ることを許される。図１２の右欄に示す配列により、そのＴＭＳＩの最下位３ビットに’１１１’または’０１０’を有する、ＴＭＳＩを割り当てられた移動局は、第１フレーム後に休止状態に入ることを許される。この場合は、メッセージを再配列することにより、移動局の２５％が第１フレーム後に休止状態に入ることができる。ただし、メッセージが無作為に配列されると、どの移動局も第１フレーム後に休止状態に入ることは許されない。
【００３４】
図１２はＴＭＳＩアドレスを用いて図示されるが、当業者には他のアドレス・スキームを用いることができることも理解頂けよう。たとえば、ＩＭＳＩアドレス・スキームを利用することもできる。以下の手順は、第１フレーム内のメッセージのいくつかにｚ個の部分アドレス・ビットが割り振られ、残りのメッセージにはｚ＋１個の部分アドレス・ビットが割り振られた場合の上記の例を一般化したものである：
１．メッセージは、各集合が同じ最下位ｚビットを有するメッセージで構成されるメッセージの集合に分化される。（これらの集合内のメッセージの順序は重要ではない）。
２．次に集合がメンバ数に従って分類される。メンバ数の最も少ない集合が最初に置かれ、メンバ数のより多い集合がそれに続く。
３．メンバ数が同じ集合がある場合は、これらの集合のうち、最下位ｚ＋１ビットがすべて同じメンバを含む集合が先に配列される。
４．先に配列された集合にはより大きな数の部分アドレス・ビットが割り振られる。
【００３５】
ｚ個の部分アドレス・ビットを割り振るべき最良のメッセージを選択することが、この手順の重要な点である。メッセージは２つのグループに分けられ、１つのグループはｚ個の部分アドレス・ビットが割り振られ、１つのグループにはｚ＋１個の部分アドレス・ビットが割り振られる。これらのグループのメンバが決定されると、そのグループ内のメッセージの順序は、グループ内のメッセージに関する部分アドレス・ビットの数が同じである限り、重要ではない。
【００３６】
ステップ３の利点を上記の例に示すことができる。メッセージ３，４，８からなる集合の１つのメンバに３ではなく２ビットが割り振られたとすると（ステップ３がない場合のように）、その最下位３ＴＭＳＩビットが’０１０’である移動局は、最下位２ビット’１０’と部分アドレスが一致するために、第１フレーム後に休止状態に入ることが許されない。メッセージ５，６，９からなる集合は’００１’と’１０１’の両方の最下位３ＴＭＳＩビットを有するメンバを含むので、２つの部分アドレス・ビットを１つのメンバに割り振ることが不利ではない；メッセージ３，４，８からなる集合に２つの部分アドレス・ビットを割り振ることが不利である。ステップ３を経ないと、ＴＭＳＩを割り当てられた移動局集団のうち、２５％ではなく１２．５％が第１フレーム後に休止状態に入ることになる。
【００３７】
上記に示される本発明の説明，特定の詳細および図面は、本発明の範囲を制限するものではない。たとえば、部分アドレス比較を用いて、一時停止パケット・データ状態の一時停止バーチャル・トラフィック副状態において移動局の電力消費を軽減することができる。Ｆ−ＣＣＣＨを連続して監視するのではなく、この副状態の移動局が適時に復調を開始して、各Ｆ−ＣＣＣＨスロットの第１フレームを受信する。部分アドレス比較により不一致があると、移動局はスロットの残りの部分については復調を停止し、次スロットに関して適時に復調を再開する。図１３は、本発明の好適な実施例による部分アドレス比較がページング・チャネル（Ｆ−ＣＣＣＨ）の復調のための移動局のデューティ・サイクルをいかにして短くするかの一例を示す。現在のところ、ＴＩＡ／ＥＩＡ−９５−Ｂにより、ＰＡＣＡ呼出が移動局に関して待行列に入れられると、ページング・チャネルを連続して監視する。部分アドレス比較を利用して、ＰＡＣＡ呼出が待行列に入れられる場合に移動局電力消費を軽減することもできる。監視は、一時停止パケット・データ状態の一時停止バーチャル・トラフィック副状態に関するものと同じである。本発明の意図は、本発明の精神および範囲から逸脱することなく種々の修正を行うことであり、添付の請求項およびその等価物内にこのようなすべての修正が含まれるものとする。
【図１】
2010166613.tif 000003
【図２】
2010166613.tif 000004
【図３】
2010166613.tif 000005
【図４】
2010166613.tif 000006
【図５】
2010166613.tif 000007
【図６】
2010166613.tif 000008
【図７】
2010166613.tif 000009
【図８】
2010166613.tif 000010
【図９】
2010166613.tif 000011
【図１０】
2010166613.tif 000012
【図１１】
2010166613.tif 000013
【図１２】
2010166613.tif 000014
【図１３】
2010166613.tif 000015